(57)【特許請求の範囲】
【請求項１】
標本を載置するステージと、
複数の対物レンズを保持し、操作環を回転することにより観察光軸上に前記対物レンズを切換え可能なレボルバと、
観察光軸上の前記対物レンズが集光した光を接眼レンズに入射する光学系を有する鏡筒と、
ベース部と、ベース部の背面側に立設し、前記ステージを保持するスタンド部と、前記スタンド部に支持されて前面側に向かって延在し、上部に前記鏡筒、下部に前記レボルバが取り付けられるアーム部と、を有する顕微鏡本体と、
前記レボルバと前記鏡筒との間に位置し、前記操作環を回転する際に検鏡者の親指以外のいずれかの手指を載置するための手掛け部と、
を備え、
前記手掛け部は、前記レボルバと前記アーム部との間であって、当該正立顕微鏡の左右のいずれか一方、または左右両方に位置することを特徴とする正立顕微鏡。
【請求項２】
前記手掛け部は、前記顕微鏡本体から突出する突起状をなすことを特徴とする請求項１に記載の正立顕微鏡。
【請求項３】
前記手掛け部は、前記顕微鏡本体から凹んだ凹形状をなすことを特徴とする請求項１に記載の正立顕微鏡。
【請求項４】
前記手掛け部は、手指を載置する面がなめらかな凹凸形状をなすことを特徴とする請求項１〜３のいずれか一つに記載の正立顕微鏡。
【請求項５】
前記手掛け部は、当該正立顕微鏡から着脱可能であって、前記手掛け部の前記操作環からの距離が変更可能であることを特徴とする請求項１または２に記載の正立顕微鏡。
【請求項６】
前記レボルバは、複数の前記対物レンズが前面側を向くように前記アームに対し取り付けられる外向きレボルバであって、
前記操作環は、前記アーム部側に位置し円筒形状をなす円筒部と、前記対物レンズ側に位置し円錐台形状をなす円錐部と、を備えることを特徴とする請求項１に記載の正立顕微鏡。
【発明の詳細な説明】
【技術分野】
【０００１】
本発明は、医学、生物学などの分野に利用される正立顕微鏡に関する。
【背景技術】
【０００２】
正立顕微鏡は、医学、生物学をはじめ、その他の分野において研究、検査、教育用途として利用されている（例えば、特許文献１または２参照）。検査用途では、主にスライド標本を多数拡大観察して、検査する場合がある。スライド標本を検査する際は、４倍〜１０倍の低倍の対物レンズを使用し、スライド標本を設置したステージのＸＹハンドルによりスライド標本を移動させながら観察する。この時、標本として組織や細胞の異常、細菌の有無といった注目すべき箇所がある場合は、レボルバの操作環を回転することにより、低倍の対物レンズから２０倍〜１００倍の中高倍の対物レンズに切替えて観察が行われる。
【０００３】
近年、顕微鏡の機能として鮮明な観察像が求められるだけでなく、顕微鏡の各部の操作性や、操作に伴う疲労軽減に対する要求が高まっている。特に検査用途では、１日に多数のスライド標本を検査する場合があるため、その要求は強くなっている。
【先行技術文献】
【特許文献】
【０００４】
【特許文献１】特許第３３６２８９２号公報
【特許文献２】特許第４２２１２８５号公報
【発明の概要】
【発明が解決しようとする課題】
【０００５】
特許文献１および２の正立顕微鏡では、図１０に示すように、焦準ハンドルや、ＸＹステージハンドルは、机上面から低い位置に配置されているため、腕や手の側面を机上に置いた状態で操作することができる。したがって、安定したハンドル操作が可能となり、操作に伴う疲労も軽減することができる。
【０００６】
しかしながら、レボルバは机上面から高い位置に配置されているため、検鏡者が図１１に示すように操作環を指で回して対物レンズを切り替える際、腕を上げた状態、または肘をついて手を上げた状態で操作環を回すことになり、操作に対する負担軽減については何ら考慮されていなかった。その結果、特許文献１、２の正立顕微鏡では、検鏡者の負担が大きいものであった。
【０００７】
本発明は、上記に鑑みてなされたものであって、レボルバの切換え操作に伴う検鏡者の負担を軽減することができる正立顕微鏡を提供することを目的とする。
【課題を解決するための手段】
【０００８】
上述した課題を解決し、目的を達成するために、本発明の正立顕微鏡は、標本を載置するステージと、複数の対物レンズを保持し、操作環を回転することにより観察光軸上に前記対物レンズを切換え可能なレボルバと、観察光軸上の前記対物レンズが集光した光を接眼レンズに入射する光学系を有する鏡筒と、ベース部と、ベース部の背面側に立設し、前記ステージを保持するスタンド部と、前記スタンド部に支持されて前面側に向かって延在し、上部に前記鏡筒、下部に前記レボルバが取り付けられるアーム部と、を有する顕微鏡本体と、前記レボルバと前記鏡筒との間に位置し、前記操作環を回転する際に検鏡者の親指以外のいずれかの手指を載置するための手掛け部と、を備え、前記手掛け部は、前記レボルバと前記アーム部との間であって、当該正立顕微鏡の左右のいずれか一方、または左右両方に位置することを特徴とする。
【０００９】
また、本発明にかかる正立顕微鏡は、上記発明において、前記手掛け部は、前記顕微鏡本体から突出する突起状をなすことを特徴とする。
【００１０】
また、本発明にかかる正立顕微鏡は、上記発明において、前記手掛け部は、前記顕微鏡本体から凹んだ凹形状をなすことを特徴とする。
【００１１】
また、本発明にかかる正立顕微鏡は、上記発明において、前記手掛け部は、手指を載置する面がなめらかな凹凸形状をなすことを特徴とする。
【００１３】
また、本発明にかかる正立顕微鏡は、上記発明において、前記手掛け部は、当該正立顕微鏡から着脱可能であって、前記手掛け部の前記操作環からの距離が変更可能であることを特徴とする。
【００１４】
また、本発明にかかる正立顕微鏡は、上記発明において、前記レボルバは、複数の前記対物レンズが前面側を向くように前記アームに対し取り付けられる外向きレボルバであって、前記操作環は、前記アーム部側に位置し円筒形状をなす円筒部と、前記対物レンズ側に位置し円錐台形状をなす円錐部と、を備えることを特徴とする。
【発明の効果】
【００１５】
本発明にかかる正立顕微鏡装置は、レボルバの操作環の近傍に、操作環を回転する際に検鏡者の親指以外のいずれかの手指を載置する手掛け部を設けることにより、対物レンズの切換えを容易とするとともに、検鏡者の疲労を軽減することができる。
【図面の簡単な説明】
【００１６】
【図１】図１は、本発明の実施の形態１にかかる正立顕微鏡装置の概略構成を示す側面図である。
【図２】図２は、図１の正立顕微鏡装置の上面図である。
【図３】図３は、図１の正立顕微鏡装置を前面右上方から見た斜視図である。
【図４】図４は、図１の正立顕微鏡の手掛け部の拡大斜視図である。
【図５】図５は、図１の正立顕微鏡における操作を説明する図である。
【図６】図６は、本発明の実施の形態１の変形例１にかかる正立顕微鏡の手掛け部の拡大斜視図である。
【図７】図７は、本発明の実施の形態１の変形例２にかかる手掛け部を説明する図である。
【図８】図８は、本発明の実施の形態１の変形例３にかかる正立顕微鏡のレボルバ近傍の側面図である。
【図９】図９は、本発明の実施の形態２にかかる正立顕微鏡の側面図である。
【図１０】図１０は、従来使用される正立顕微鏡の一例の側面図である。
【図１１】図１１は、図１０の正立顕微鏡でのレボルバの切換えを説明する図である。
【発明を実施するための形態】
【００１７】
以下に、本発明の実施の形態にかかる正立顕微鏡を図面に基づいて詳細に説明する。なお、この実施例によりこの発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００１８】
（実施の形態１）
図１は、本発明の実施の形態１にかかる正立顕微鏡装置の概略構成を示す側面図である。図２は、図１の正立顕微鏡装置の上面図である。図３は、図１の正立顕微鏡装置を前面右上方から見た斜視図である。図４は、図１の正立顕微鏡の手掛け部の拡大斜視図である。本明細書において、検鏡者が観察のために位置する側を顕微鏡装置の前面側、前面と対向する側を顕微鏡装置の背面側とする。
【００１９】
正立顕微鏡１００は、顕微鏡本体１に、標本２を載置するステージ３、複数の対物レンズ４を保持するレボルバ５、および鏡筒６が設けられている。顕微鏡本体１は、正立顕微鏡１００の各構成部材を支持する筐体であり、アルミ合金等や、プラスチック材料から形成されたパーツの組み合わせにより構成されている。顕微鏡本体１は、図示しない照明光学系を内設するベース部１ａと、ステージ３を保持するスタンド部１ｂと、スタンド部１ｂから正立顕微鏡１００の前面側に延出させて設けられ、レボルバ５および鏡筒６を保持するアーム部１ｃとを有する。
【００２０】
標本２を載置するステージ３は、顕微鏡本体１の左右の側面部に突設された焦準ハンドル９の回動操作に連動して駆動される図示しない焦準機構によって、昇降移動され、ピント合わせがなされる。また、ステージ３は、ＸＹハンドル３ａを備え、標本２をＸＹ平面内で自在に動かすことが可能とされている。
【００２１】
レボルバ５は、倍率の異なる複数の対物レンズ４が着脱自在に取り付けられている。実施の形態１のレボルバ５は、観察光軸Ｏ上の対物レンズ４以外の対物レンズ４が、背面側を向くようにアーム部１ｃの下面に取り付けられる内向きレボルバである。レボルバ５は、円筒形状をなし、外周がローレット加工されている操作環５ａを有する。操作環５ａの前面側が、検鏡者が親指を添える操作部５ｂである。
【００２２】
鏡筒６は、アーム部１ｃの上面に着脱自在に取り付けられており、２つの接眼レンズ７と、ＣＣＤカメラ等の撮像部を取り付けるためのＴＶ（テレビジョン）ポート８が設けられている。また、鏡筒６の内部には、観察光軸Ｏ上の対物レンズ４が集光した光を、接眼レンズ７、または撮像部に入射する光学系（図示しない）が内蔵されている。正立顕微鏡１００により観察する際、鏡筒６は接眼レンズ７が、正立顕微鏡１００の前面側になるよう取り付けられるが、鏡筒６は回転可能であり、接眼レンズ７が正立顕微鏡１００の背面側を向くように回転させ、背面側から標本を観察したり、収納することもできる。
【００２３】
手掛け部１０は、検鏡者が操作環５ａを回転する際に親指以外のいずれかの手指を載置する部位であって、操作環５ａの上部であるレボルバ５とアーム部１ｃとの間、すなわち、レボルバ５の上方、かつ背面側に配置されている。手掛け部１０は、正立顕微鏡１００の全面に位置する検鏡者が、操作環５ａの操作部５ｂに親指を添えた際に、他の指が載置できる位置、例えば、操作部５ｂから手掛け部１０の最遠部が１５０ｍｍ以内、好ましくは５０〜１００ｍｍ程度の位置に配置される。
【００２４】
手掛け部１０は、顕微鏡本体１から突出して突起状をなす本体部１０ａを有し、突起をなす本体部１０ａの背面側が手掛け面１０ｂとなる。手掛け部１０の顕微鏡本体１からの突出長さは、他の指が引っ掛かるだけの長さ、たとえば、５ｍｍ以上であることが好ましい。手掛け面１０ｂは、親指以外の他の指を載置する際の位置決め用に凹凸状としてもよい。手掛け部１０は、検鏡者側から見て顕微鏡本体１の左右両側に設けられ、左右に配置される手掛け部１０は、本体部１０ａが環状部１０ｃにより連結されて一体として形成されている。手掛け部１０は、顕微鏡本体１および操作環５ａと異なる色彩とすることが好ましい。手掛け部１０を、顕微鏡本体１および操作環５ａと異なる色に彩色することにより、色彩により手掛け部１０を認識することが可能となる。一般に、顕微鏡本体１は白色、操作環５ａは黒色に彩色されるため、手掛け部１０は、例えば青色に彩色される。
【００２５】
通常、スライドガラスを用いた標本２の検査では、検鏡者は以下の操作により標本２の観察を行う。
（１）レボルバ５の操作環５ａを操作して対物レンズ４を低倍（たとえば、１０倍）に切換える。
（２）標本２をステージ３の上面に設置する。
（３）焦準ハンドル９を操作して標本２にピントを合わせる。
（４）接眼レンズ７で観察しながら、ＸＹハンドル３ａを操作してステージ３をＸＹ方向に移動し、標本２をスクリーニングする。
（５）標本２上に注目すべき箇所がある場合には、操作環５ａを操作して対物レンズ４を中高倍（たとえば、４０倍）に切換える。
（６）焦準ハンドル９を操作して標本２に再度ピントを合わせる。
（７）中高倍の対物レンズ４で標本２を詳細に観察する。
（８）操作環５ａを操作して対物レンズ４を再度低倍（たとえば、１０倍）に切換えて、再度（４）から繰り返す。
【００２６】
図１０は、従来使用される正立顕微鏡の一例の側面図である。図１１は、図１０の正立顕微鏡でのレボルバの切換えを説明する図である。図１０に示すように、焦準ハンドル９およびＸＹハンドル３ａは、正立顕微鏡３００の低い位置、すなわち検鏡者の腕を載置する机上面から近い位置に配置されている。したがって、上記の検査手順における、（３）、（６）の焦準ハンドル９によるピント合わせや、（４）のＸＹハンドル３ａによるステージ３のＸＹ方向の操作は、検鏡者は手や腕をあまり動かすことなく、手や腕を机上に置いた状態で操作することができ、安定した操作が可能となるとともに、操作に伴う疲労が小さい。
【００２７】
一方、レボルバ５は、正立顕微鏡１００の比較的高い位置、すなわち検鏡者が腕を載置する机上面から離れた位置に配置されている。したがって、上記の検査手順における、（１）、（５）、（８）の操作環５ａによる対物レンズ４の切換え操作は、親指を操作環５ａの前面側に、他の指を操作環５ａの背面側に載置して操作環５ａを回転するか、または、図１１に示すように、親指のみを操作環５ａに載置し、親指を左右に動かして操作環５ａを回転する。親指および他の指で操作環５ａを操作する場合、検鏡者は腕を上げた状態で操作するため疲労が大きくなる。また、親指のみで操作環５ａを操作する場合、肘を机上につき手を上げた状態で行うが、腕を上げた状態での操作よりは疲労は低減できるものの、レボルバ５はクリック機構を採用するため、クリックアウト−摺動回転−クリックインという一連の操作において、クリックインの際にクリックを乗り越えないよう微妙な操作感が必要とされる。
【００２８】
これに対し、本実施の形態１にかかる正立顕微鏡１００では、図５に示すように、肘を机上についた状態で操作環５ａの前面側の操作部５ｂに親指を載置した際、他の指が位置する顕微鏡本体１の部位、すなわち、レボルバ５の上方、かつ背面側に手掛け部１０を配置するため、親指と他の指を使用し、検鏡者の疲労を軽減しながら、確実に操作環５ａの操作を行うことが可能となる。また、手掛け部１０は、図５に示すように、肘を机上についた状態で前腕を上げ下げすることにより、操作環５ａおよび焦準ハンドル９の操作ができる位置に配置されるため、操作環５ａによる対物レンズ４の切換えの後、標本２にピントを合わせる操作（上記の（５）から（６）の操作）を、接眼レンズ７を介して標本２を観察した状態で、容易に行うことができる。また、手掛け部１０は、顕微鏡本体１から突出し、かつ顕微鏡本体１等とは異なる色に彩色されているため、形状および彩色を手掛かりとして操作、特にブラインド操作がより容易となる。
【００２９】
なお、実施の形態１の手掛け部１０は、左右両側に配置されているが、検鏡者から見て左右のいずれか一方に形成されていてもよい。
【００３０】
また、手掛け部１０の本体部１０ａは、環状部１０ｃからなだらかな突起状をなしているが、図６に示すように、環状部１０ｃから本体部１０ａが角度をなして突起する手掛け部１０Ａとすることもできる。
【００３１】
さらに、手掛け部１０は、顕微鏡本体１から着脱可能とすることもできる。図７は、本発明の実施の形態１の変形例２にかかる手掛け部１０Ｂを説明する図である。図７（ａ）は手掛け部１０Ｂの上面図、図７（ｂ）は、図７（ａ）のＡ−Ａ線断面図、図７（ｃ）は、手掛け部１０Ｂの顕微鏡本体１への取付け位置を変更した場合の上面図である。
【００３２】
手掛け部１０Ｂは、矩形板状をなし、本体部１０ａの両端部に長穴のザグリ穴１０ｄを有する。このザグリ穴１０ｄに固定ビス１０ｅを通して、顕微鏡本体１に手掛け部１０Ｂを固定する。ザグリ穴１０ｄは、手掛け部１０Ｂの短辺方向が長い長穴であり、ザグリ穴１０ｄに対する固定ビス１０ｅの固定位置を、図７（ｃ）のようにずらすことにより、手掛け部１０Ｂの顕微鏡本体１への取付け位置を変更することができる。手掛け部１０Ｂの顕微鏡本体１への取付け位置を変更することにより、操作環５ａの操作部５ｂから手掛け部１０Ｂの手掛け面１０ｂまでの距離を変更することができるので、検鏡者は、操作し易い位置に手掛け部１０Ｂを配置することができる。
【００３３】
上記の実施の形態１および変形例では、内向きレボルバを使用する場合について説明したが、外向きレボルバを使用する場合も、手掛け部を設けることにより検鏡者の疲労を軽減することができる。図８は、本発明の実施の形態１の変形例３にかかる正立顕微鏡１００Ｄのレボルバ近傍の側面図である。
【００３４】
正立顕微鏡１００Ｄは、観察光軸Ｏ上の対物レンズ４以外の対物レンズ４が、前面側を向くようにアーム部１ｃの下面に取り付けられる外向きのレボルバ５Ｄを備える。
【００３５】
レボルバ５Ｄの操作環５ａは、アーム部１ｃ側の円筒形状をなす円筒部５ａ−１と、対物レンズ４側の円錐台形状をなす円錐部５ａ−２と、を有する。円筒部５ａ−１および円錐部５ａ−２の外周は、ローレット加工されている。
【００３６】
検鏡者は、円錐部５ａ−２の前面側の操作部５ｂ−２に親指を載置しながら、手掛け部１０の手掛け面１０ｂに他の指を載置することにより、操作環５ａを回転する。円錐部５ａ−２は円錐台形状をなしているため、前面側の操作部５ｂ−２は略鉛直となる。これにより、対物レンズ４の切換え操作が容易となる。また、検鏡者は、円筒部５ａ−１の前面側の操作部５ｂ−１に親指を載置しながら、他の指を円筒部５ａ−１の背面側に載置して、操作環５ａを回転することもできる。
【００３７】
（実施の形態２）
実施の形態２にかかる正立顕微鏡は、手掛け部が顕微鏡本体から凹んだ凹形状をなしている。図９は、本発明の実施の形態２にかかる正立顕微鏡２００の側面図である。
【００３８】
正立顕微鏡２００は、検鏡者が操作環５ａを回転する際に親指以外のいずれかの手指を載置する部位、すなわち、レボルバ５の上方、かつ背面側に手掛け部１１０を有する。手掛け部１１０は、顕微鏡本体１から凹んだ凹形状をなす本体部１１０ａを有し、本体部１１０ａの前面側が手掛け面１１０ｂとなる。手掛け部１１０の顕微鏡本体１からの凹部の深さは、他の指が引っ掛かるだけの長さ、たとえば、５ｍｍ以上であることが好ましい。また、他の指先が凹部内に入るように、凹部の長さは５０ｍｍ以上、凹部の幅は１５ｍｍ以上とすることが好ましい。
【００３９】
手掛け部１１０は、検鏡者側から見て顕微鏡本体１の左右両側、または左右のいずれか一方に設けられ、手掛け部１１０およびその近傍を、顕微鏡本体１および操作環５ａと異なる色彩とすることが好ましい。
【００４０】
本実施の形態２にかかる正立顕微鏡２００では、手掛け部１１０が、肘を机上についた状態で操作部５ｂに親指を載置した際、他の指が位置する顕微鏡本体１の部位に配置されるため、検鏡者の疲労を軽減しながら、確実に操作環５ａの操作を行うことが可能となる。また、手掛け部１１０は、凹部形状をなし、かつ顕微鏡本体１等とは異なる色に彩色されているため、形状および彩色を手掛かりとして操作、特にブラインド操作がより容易となる。
【産業上の利用可能性】
【００４１】
以上のように、本発明にかかる正立鏡装置は、主として検査用に使用される正立顕微鏡に有用である。
【符号の説明】
【００４２】
１  顕微鏡本体
１ａ  ベース部
１ｂ  スタンド部
１ｃ  アーム部
２  標本
３  ステージ
４  対物レンズ
５  レボルバ
５ａ  操作環
５ａ−１  円筒部
５ａ−２  円錐部
５ｂ、５ｂ−１、５ｂ−２  操作部
６  鏡筒
７  接眼レンズ
８  ＴＶポート
９  焦準ハンドル
１０、１０Ａ、１０Ｂ、１１０  手掛け部
１０ａ  本体部
１０ｂ  手掛け面
１０ｃ  環状部
１０ｄ  ザグリ穴
１０ｅ  固定ビス
１００、１００Ｄ、２００、３００  正立顕微鏡
【図１】
0006637350.tif 000002
【図２】
0006637350.tif 000003
【図３】
0006637350.tif 000004
【図４】
0006637350.tif 000005
【図５】
0006637350.tif 000006
【図６】
0006637350.tif 000007
【図７】
0006637350.tif 000008
【図８】
0006637350.tif 000009
【図９】
0006637350.tif 000010
【図１０】
0006637350.tif 000011
【図１１】
0006637350.tif 000012